(57)【要約】【課題】フード部内においてムービングプレートを安定した姿勢で移動させる。【解決手段】本発明は、雄ハウジング４１と、ムービングプレート３０と、雌ハウジング１１と、雌ハウジング１１の外周壁に回動可能に組み付けられるカム板２１を有し、このカム板２１に雄ハウジング４１に設けられたカムピン４８と係合可能なカム溝２４が設けられ、このカム溝２４とカムピン４８の係合に基づくカム作用によって雌雄両ハウジング１１，４１を嵌合および離脱させるレバー２０とを備え、ムービングプレート３０の周壁部３３とフード部４２の内周面とは、全周に亘って近接して配されている構成としたところに特徴を有する。【選択図】図６
2014116076.tif 000002
【特許請求の範囲】
【請求項１】
前方に開口するフード部を有し、このフード部の奥壁から前方に突出する複数の雄端子が形成された雄ハウジングと、
前記フード部内において前後方向に移動可能とされ、前記雄端子を挿通させる複数の位置決め孔が貫通して形成された本体部とこの本体部の外周縁から筒状をなして前方に立ち上がる周壁部とからなるムービングプレートと、
前記ムービングプレート内に嵌合した状態で、同ムービングプレートとともに前記フード部内に嵌合可能な雌ハウジングと、
前記雌ハウジングの外周壁に回動可能に組み付けられるカム板を有し、このカム板に前記雄ハウジングに設けられたカムピンと係合可能なカム溝が設けられ、このカム溝と前記カムピンの係合に基づくカム作用によって雌雄両ハウジングを嵌合および離脱させるレバーとを備え、
前記ムービングプレートの前記周壁部と前記フード部の内周面とは、全周に亘って近接して配されていることを特徴とするレバー式コネクタ。
【請求項２】
前記ムービングプレートは、前記雄端子の先端が前記位置決め孔に位置決めされた初期位置と、前記雄端子が前記位置決め孔を貫通して前記本体部が前記フード部の前記奥壁に沿って配された嵌合位置との間を移動可能とされており、
前記フード部は、弾性的に変位可能なロック突部を有し、前記ムービングプレートは、前記ロック突部と係止することで前記ムービングプレートを初期位置に保持可能な保持孔と、前記嵌合位置において前記ロック突部を逃がす逃し孔とを有していることを特徴とする請求項１に記載のレバー式コネクタ。
【請求項３】
前記ムービングプレートの周壁部の内面には、係合突起が内方に突出して設けられており、前記レバーのカム板には、前記レバーの回動に伴って前記係合突起を通す弧状の係合溝が設けられていることを特徴とする請求項１または請求項２に記載のレバー式コネクタ。
【請求項４】
前記雌雄両ハウジングの離脱時には前記係合突起が前記係合溝に係合することで、前記ムービングプレートが前記嵌合位置から前記初期位置へ移動することを特徴とする請求項３に記載のレバー式コネクタ。
【発明の詳細な説明】
【技術分野】
【０００１】
本発明は、レバー式コネクタに関する。
【背景技術】
【０００２】
従来、レバーを回動操作することによって雌雄両ハウジングが嵌合および離脱するようにしたレバー式コネクタとして、例えば下記特許文献１に記載のものが知られている。このレバー式コネクタは、互いに嵌合可能な雌雄一対のハウジングを有しており、雌ハウジングには、レバーが回動可能に支持され、雄ハウジングには、雌ハウジングを内部に収容可能なフード部が設けられている。このフード部の奥壁には、複数の雄端子が前方に向かって突出して設けられており、さらにフード部内には、ムービングプレートが装着されている。このムービングプレートは、複数の雄端子を貫通させる複数の位置決め孔が形成された本体部と、この本体部の周縁から前方に向けて角筒状に立ち上がる周壁部とを有している。
【０００３】
レバーは、カム溝が形成されたカム板を有し、フード部の内壁には、カム溝に係合可能なカムピンが形成されている。カム溝は、カム板の外面側に凹設されており、カム板の内面側には、ムービングプレートの周壁部に形成された係合突起と係合可能な係合溝が凹設されている。すなわち、フード部の内側には、レバーのカム板が収容され、そのカム板の内側にムービングプレートの周壁部が収容されていることになる。
【先行技術文献】
【特許文献】
【０００４】
【特許文献１】特開２００７−２８７６１４号公報
【発明の概要】
【発明が解決しようとする課題】
【０００５】
しかしながら、上記のレバー式コネクタでは、フード部とムービングプレートの周壁部との間に、カム板の板厚に相当する隙間が全周に亘って形成されており、カム板が収容されている長辺側においてはムービングプレートのがたつきを防止できるものの、カム板が収容されていない短辺側においては、ムービングプレートのがたつきを防止することができない。したがって、ムービングプレートをフード部内へ移動させる際に本体部が傾くなどして、雄端子と位置決め孔の内壁とが接触し、嵌合抵抗が増大するおそれがある。このように、上記のレバー式コネクタでは、フード部内においてムービングプレートを安定した姿勢で移動させることができなかった。
【０００６】
本発明は上記のような事情に基づいて完成されたものであって、フード部内においてムービングプレートを安定した姿勢で移動させることを目的とする。
【課題を解決するための手段】
【０００７】
本発明は、前方に開口するフード部を有し、このフード部の奥壁から前方に突出する複数の雄端子が形成された雄ハウジングと、フード部内において前後方向に移動可能とされ、雄端子を挿通させる複数の位置決め孔が貫通して形成された本体部とこの本体部の外周縁から筒状をなして前方に立ち上がる周壁部とからなるムービングプレートと、ムービングプレート内に嵌合した状態で、同ムービングプレートとともにフード部内に嵌合可能な雌ハウジングと、雌ハウジングの外周壁に回動可能に組み付けられるカム板を有し、このカム板に雄ハウジングに設けられたカムピンと係合可能なカム溝が設けられ、このカム溝とカムピンの係合に基づくカム作用によって雌雄両ハウジングを嵌合および離脱させるレバーとを備え、ムービングプレートの周壁部とフード部の内周面とは、全周に亘って近接して配されている構成としたところに特徴を有する。
【０００８】
このような構成によると、フード部の内周面によってムービングプレートの周壁部が案内されることで、ムービングプレートの本体部を後方へ平行移動させるようにしたから、フード部内においてムービングプレートをがたつかせることなく安定した姿勢で移動させることができる。
【０００９】
本発明の実施の態様として、以下の構成が好ましい。
ムービングプレートは、雄端子の先端が位置決め孔に位置決めされた初期位置と、雄端子が位置決め孔を貫通して本体部がフード部の奥壁に沿って配された嵌合位置との間を移動可能とされており、フード部は、弾性的に変位可能なロック突部を有し、ムービングプレートは、ロック突部と係止することでムービングプレートを初期位置に保持可能な保持孔と、嵌合位置においてロック突部を逃がす逃し孔とを有している構成としてもよい。
このような構成によると、フード部のロック突部をムービングプレートの保持孔に係合させることによってムービングプレートを初期位置に保持することができる。また、嵌合位置ではロック突部を逃し孔によって逃がすことができるため、ロック突部を付勢する部分が変形したままになることを回避できる。
【００１０】
ムービングプレートの周壁部の内面には、係合突起が内方に突出して設けられており、レバーのカム板には、レバーの回動に伴って係合突起を通す弧状の係合溝が設けられている構成としてもよい。
このような構成によると、係合突起を係合溝に通して引っ掛けることにより、ムービングプレートが初期位置から嵌合位置へ不意に移動してしまうことを回避できる。
【００１１】
雌雄両ハウジングの離脱時には係合突起が係合溝に係合することで、ムービングプレートが嵌合位置から初期位置へ移動する構成としてもよい。
このような構成によると、係合突起を係合溝に係合させることにより、ムービングプレートを嵌合位置から初期位置へ連れ戻すことができる。
【発明の効果】
【００１２】
本発明によれば、フード部内においてムービングプレートを安定した姿勢で移動させることができる。
【図面の簡単な説明】
【００１３】
【図１】レバー式コネクタの分解斜視図
【図２】ムービングプレートをフード部内に装着する前の状態を示した断面図
【図３】ムービングプレートをフード部内における初期位置に保持させた状態を示した断面図
【図４】雌ハウジングを初期位置にあるムービングプレート内に嵌合させる途中の状態を示した断面図
【図５】雌ハウジングを初期位置にあるムービングプレート内に嵌合させた状態を示した断面図
【図６】レバーを回動させることで雌ハウジングとムービングプレートが一体となって初期位置から嵌合位置へ移動していく様子を示した断面図
【図７】さらにレバーを回動させることでムービングプレートが嵌合位置に至るとともに雌ハウジングが雄ハウジングと正規に嵌合した状態を示した断面図
【発明を実施するための形態】
【００１４】
＜実施形態＞
本発明の実施形態を図１ないし図７の図面を参照しながら説明する。本実施形態のレバー式コネクタは、図１に示すように、レバー２０が回動可能に支持された雌コネクタ１０と、ムービングプレート３０と、雄コネクタ４０とを備えて構成されている。このレバー式コネクタは、レバー２０を回動操作することで雌雄両コネクタ１０，４０が嵌合および離脱するようになっている。なお、以下の説明において前後方向とは雌雄両コネクタ１０，４０の嵌合方向を基準とし、互いの嵌合面側を前側とする。
【００１５】
雄コネクタ４０は合成樹脂製の雄ハウジング４１を有し、この雄ハウジング４１には、角筒状をなして前方に開口する形態をなすフード部４２が形成されている。フード部４２の奥壁４３には、図２に示すように、複数の雄端子４４が前方に突出する形態で保持されている。雄端子４４はタブ状をなして前方に突出する端子接続部を有している。また、フード部４２は、奥壁４３の周縁から角筒状をなして前方に突出する周壁４５を有している。
【００１６】
周壁４５のうち対向する一対の対向壁（短辺側の対向壁４５Ａ）には、それぞれロック片４６が形成されている。ロック片４６は片持ち状をなして前方に延びる形態をなし、その基端部はフード部４２の奥壁４３に位置しており、ロック片４６の自由端部には、セミロック形状をなして内向きに突出するロック突部４７が形成されている。このロック突部４７は、前後の傾斜面がいずれも嵌合方向に対して約４５°の傾斜角をなす緩やかな傾斜面として構成されている。ロック突部４７の前端は、雄端子４４の前端よりもやや前方に位置し、フード部４２の周壁４５の前後方向における半分の位置よりもやや後方に位置している。
【００１７】
また、図１に示すように、フード部４２の周壁４５のうちロック片４６が形成されていない側の一対の対向壁（長辺側の対向壁）４５Ｂには、内向きに突出する一対のカムピン４８が形成されている。このカムピン４８は丸ピン形状をなしている。
【００１８】
ムービングプレート３０は、図１に示すように、雄端子４４を挿通させる複数の位置決め孔３２が形成された本体部３１と、この本体部３１の周縁から角筒状をなして立ち上がる周壁部３３とを備えて構成されている。周壁部３３は、フード部４２の周壁４５の内周面に全周に亘って接触可能な程度の大きさとされている。このため、ムービングプレート３０をフード部４２内に収容すると、周壁部３３の外周面と周壁４５の内周面と摺接により、ムービングプレート３０の本体部３１が前後方向に平行移動するようになっている。
【００１９】
また、ムービングプレート３０は、図４に示す初期位置と、図７に示す嵌合位置との間を往復移動可能とされている。初期位置では、雄端子４４の先端が位置決め孔３２内に収容されている。
【００２０】
周壁部３３のうちフード部４２のロック突部４７と対応する位置には、保持孔３４と逃し孔３５が前後方向に並んで形成されている。ここでいう前後方向は、雌コネクタ４０側を前方とし、雄コネクタ１０側を後方と定義する。逃し孔３５は本体部３１の外縁を一辺とする方形の孔として構成されており、保持孔３４は逃し孔３５の後方に配されている。ロック片４６は、図１に示すように、各短辺側の対向壁４５Ａに一対ずつが配され、フード部４２全体で合計４つが配されている。同様に、保持孔３４および逃し孔３５は、各ロック片４６に対応して配され、ムービングプレート３０全体で各々合計４つが配されている。
【００２１】
周壁部３３のうちフード部４２の一対のカムピン４８と対応する位置には、カムピン４８を周壁部３３の内側に挿通させる一対の切欠部３６が形成されている。この切欠部３６は、本体部３１から周壁部３３の前縁部に亘って形成されており、切欠部３６の前縁部が周壁部３３の開口縁部を構成している。また、切欠部３６の周縁部における本体部３１側には、係合突起３７が内向きに突出して形成されている。この係合突起３７は丸ピン形状をなし、ムービングプレート３０全体で合計２つが配されている。
【００２２】
雌コネクタ１０は合成樹脂製の雌ハウジング１１を有し、この雌ハウジング１１は略方形のブロック状をなしている。雌ハウジング１１には、前後方向に貫通する形態をなす複数のキャビティ１２が形成されており、このキャビティ１２には雌端子（図示せず）が収容され、ランス（図示せず）によって保持されている。雌端子は、雄端子４４の端子接続部を内部に嵌合可能な角筒状をなす箱部を有している。この箱部の内部には、弾性接触片（図示せず）が形成されており、この弾性接触片が雄端子４４の端子接続部に弾性的に接触するようになっている。
【００２３】
雌ハウジング１１の外周側面には、一対の支持軸１３が側方に突出して設けられている。支持軸１３は、雌ハウジング１１の外周側面のうち長辺側の側面（雄ハウジング４１のフード部４２の長辺側の対向壁４５Ｂに対応する側面）に設けられている。支持軸１３の突出高さは、雌ハウジング１１がムービングプレート３０の内部に嵌合した際に、周壁部３３の内周側面に接触しない程度に留められている。
【００２４】
レバー２０は合成樹脂製であって、一対のカム板２１の端部同士を操作部２２によって連結した構成とされ、全体として略門形をなしている。カム板２１には、軸受孔２３が形成されており、この軸受孔２３に雌ハウジング１１の支持軸１３が嵌合した状態で装着されると、カム板２１が支持軸１３を回動中心として回動可能に組み付けられる。これにより、レバー２０は、図４に示す初期位置と、図７に示す嵌合位置との間を回動可能とされている。
【００２５】
カム板２１の外縁部には、カム溝２４と係合溝２５が開設されている。カム溝２４は、カム板２１の外縁部に位置する始端部から軸受孔２３に次第に近づく弧状をなしている。一方、係合溝２５は、カム板２１の外縁部に位置する始端部から軸受孔２３を中心とする円弧状をなしている。また、カム溝２４と係合溝２５は互いに交差しない態様で配設されており、カム溝２４の終端部と係合溝２５の終端部と軸受孔２３の中心とは、ほぼ同一直線上に並んで配され、カム溝２４の終端部のほうが係合溝２５の終端部よりも軸受孔２３の近くに配されている。
【００２６】
また、カム板２１には、レバー２０を初期位置に保持する保持片２６が形成されている。この保持片２６は、雌ハウジング１１の外周側面に形成された保持突起１４に係止することでレバー２０の初期位置から嵌合位置に向かう回動を抑制している。保持片２６は、カム板２１の外縁部を構成しており、保持片２６の自由端部はカム溝２４の始端部に位置している。また、保持片２６の基端部から自由端部に向かう方向は、係合溝２５の始端部から終端部に向かう方向と一致している。
【００２７】
保持片２６によってレバー２０を初期位置に保持させた状態で、雌コネクタ１０をムービングプレート３０内に嵌合させると、図５に示すように、カムピン４８によって保持片２６が弾性変形しながら押し込まれることによって、保持片２６と保持突起１４の係止が解除され、レバー２０の初期位置から嵌合位置に向かう回動が許容されるようになっている。これと同時に、カムピン４８がカム溝２４の始端部に位置し、係合突起３７が係合溝２５の始端部に位置するようになっている。そして、レバー２０を嵌合位置に向けて回動させると、図６に示すように、カムピン４８とカム溝２４の係合に基づくカム作用によって雌雄両コネクタ１０，４０が互いに引き寄せられる。この間、係合突起３７は、係合溝２５に係合することなく係合溝２５に沿って相対移動する。すなわち、ムービングプレート３０がフード部４２内へ押し込まれる動作は、係合突起３７と係合溝２５の係合に基づくカム作用によって発生しているのではなく、雌ハウジング１１の嵌合面がムービングプレート３０の本体部３１を押し込むことによって発生している。レバー２０が嵌合位置に至ると、図７に示すように、カムピン４８がカム溝２４の終端部に至り、係合突起３７が係合溝２５の終端部に至る。
【００２８】
本実施形態は以上のような構成であって、続いてその作用を説明する。まず、図２に示す雄ハウジング４１にムービングプレート３０を組み付ける。組み付けに際しては、ムービングプレート３０の周壁部３３の外周面が、フード部４２の内周面に全周に亘って摺接可能な程度に近接して配されているため、本体部３１とフード部４２の奥壁４３とが平行状態を維持しながらムービングプレート３０がフード部４２内へ進入する。本体部３１の両側縁部がロック片４６のロック突部４７に差し掛かると、これらが摺接することでロック片４６が外側に弾性変形する。そして、ムービングプレート３０が初期位置に至ると、図３に示すように、ロック片４６が弾性復帰してロック突部４７が周壁部３３の保持孔３４に勢いよく嵌まり込む。これにより、ムービングプレート３０が初期位置に保持される。このとき、雄端子４４の先端部は位置決め孔３２内に進入しており、この位置決め孔３２によって正規の位置に位置決めされる。
【００２９】
次に、ムービングプレート３０内に雌ハウジング１１を嵌合させていくと、図４に示すように、カムピン４８がカム溝２４の始端部に進入し、係合突起３７が係合溝２５の始端部に進入する。また、雌ハウジング１１の嵌合面の両側縁部がロック片４６のロック突部４７に差し掛かる。この後、雌ハウジング１１の嵌合を進めていくと、図５に示すように、ロック片４６が雌ハウジング１１の両側壁によって外側に弾性変形するとともに、レバー２０の保持片２６がカムピン４８によって軸受孔２３側に弾性変形する。これにより、保持片２６と保持突起１４の係止が解除されてレバー２０の回動が許容される。
【００３０】
レバー２０を初期位置から嵌合位置へ移動させていくと、図６に示すように、カムピン４８がカム溝２４に係合し、カム作用を発揮することによって雌雄両コネクタ１０，４０が互いに引き寄せられる。また、ロック片４６のロック突部４７は、保持孔３４と逃し孔３５との間の部分に乗り上げる。また、係合突起３７は、係合溝２５に沿って移動していく。この間、雌ハウジング１１の嵌合面によってムービングプレート３０の本体部３１がフード部４２の奥壁４３側に押し込まれていく。
【００３１】
そして、レバー２０が嵌合位置に至ると、図７に示すように、ムービングプレート３０の本体部３１がフード部４２の奥壁４３に当接するとともに、ロック片４６が弾性復帰してロック突部４７が逃し孔３５に勢いよく嵌まり込む。また、カムピン４８はカム溝２４の終端部に至るとともに、係合突起３７は係合溝２５の終端部に至る。これにより、雄端子４４が位置決め孔３２を貫通した状態となり、雄端子４４が雌端子と導通可能に接続される。
【００３２】
次に、雌雄両コネクタ１０，４０を離脱させる場合について説明する。レバー２０を嵌合位置から初期位置へ回動させていくと、カムピン４８とカム溝２４の係合によって雌雄両コネクタ１０，４０が互いに離間していく。また、係合突起３７と係合溝２５の係合によってムービングプレート３０が嵌合位置から初期位置へ連れ戻される。また、ロック片４６のロック突部４７が、保持孔３４と逃し孔３５の間の部分に乗り上げてロック片４６が外側に弾性変形する（図６参照）。
【００３３】
そして、図４に示すように、レバー２０が初期位置に至ると、図５に示すように、ムービングプレート３０が初期位置に至るとともに、カムピン４８によって保持片２６が弾性変形した状態となる。そして、雌コネクタ１０を手動で引き離すと、保持片２６が弾性復帰して保持突起１４に係止することでレバー２０が初期位置に保持されるとともに、雌コネクタ１０がムービングプレート３０内から離脱する。なお、上記したレバー２０による嵌合および離脱操作の間、ムービングプレート３０の周壁部３３がフード部４２の周壁４５に案内されることで、ムービングプレート３０をがたつかせることなく前後方向に平行移動させることができる。
【００３４】
以上のように本実施形態では、フード部４２の内周面によってムービングプレート３０の周壁部が案内されることで、ムービングプレート３０の本体部３１を後方へ平行移動させるようにしたから、フード部４２内においてムービングプレート３０を安定した姿勢で移動させることができる。
【００３５】
また、ムービングプレート３０は、雄端子４４の先端が位置決め孔３２に位置決めされた初期位置と、雄端子４４が位置決め孔３２を貫通して本体部３１がフード部４２の奥壁４３に沿って配された嵌合位置との間を移動可能とされており、フード部４２は、弾性的に変位可能なロック突部４７を有し、ムービングプレート３０は、ロック突部４７と係止することでムービングプレート３０を初期位置に保持可能な保持孔３４と、嵌合位置においてロック突部４７を逃がす逃し孔３５とを有している構成としてもよい。このような構成によると、フード部４２のロック突部４７をムービングプレート３０の保持孔３４に係合させることによってムービングプレート３０を初期位置に保持することができる。また、嵌合位置ではロック突部４７を逃し孔３５によって逃がすことができるため、ロック突部４７を付勢する部分が変形したままになることを回避できる。
【００３６】
ムービングプレート３０の周壁部３３の内面には、係合突起３７が内方に突出して設けられており、レバー２０のカム板２１には、レバー２０の回動に伴って係合突起３７を通す弧状の係合溝２５が設けられている構成としてもよい。このような構成によると、係合突起３７を係合溝２５に通して引っ掛けることにより、ムービングプレート３０が初期位置から嵌合位置へ不意に移動してしまうことを回避できる。
【００３７】
雌雄両ハウジング１１，４１の離脱時には係合突起３７が係合溝２５に係合することで、ムービングプレート３０が嵌合位置から初期位置へ移動する構成としてもよい。このような構成によると、係合突起３７を係合溝２５に係合させることにより、ムービングプレート３０を嵌合位置から初期位置へ連れ戻すことができる。
【００３８】
＜他の実施形態＞
本発明は上記記述及び図面によって説明した実施形態に限定されるものではなく、例えば次のような実施形態も本発明の技術的範囲に含まれる。
（１）上記実施形態では一対のカム板２１を備えたレバー２０を例示しているものの、本発明によると、一つのカム板からなるレバーとしてもよい。
【００３９】
（２）上記実施形態ではムービングプレート３０の初期位置において雄端子４４の先端が位置決め孔３２内に収容されているものの、本発明によると、雄端子の先端が位置決め孔からわずかに突出していてもよい。
【００４０】
（３）上記実施形態では係合突起３７を係合溝２５に係合させることでムービングプレート３０を嵌合位置から初期位置へ連れ戻しているものの、本発明によると、雌ハウジングとムービングプレートの間にセミロック機構を別途設けて連れ戻しを行ってもよい。
【符号の説明】
【００４１】
１１…雌ハウジング
２０…レバー
２１…カム板
２４…カム溝
２５…係合溝
３０…ムービングプレート
３１…本体部
３２…位置決め孔
３３…周壁部
３４…保持孔
３５…逃し孔
３７…係合突起
４１…雄ハウジング
４２…フード部
４３…奥壁
４４…雄端子
４５…周壁
４６…ロック片
４７…ロック突部
４８…カムピン
【図１】
2014116076.tif 000003
【図２】
2014116076.tif 000004
【図３】
2014116076.tif 000005
【図４】
2014116076.tif 000006
【図５】
2014116076.tif 000007
【図６】
2014116076.tif 000008
【図７】
2014116076.tif 000009